(57)【要約】【課題】使用場所は問わず外出先や室内はもちろん、自転車、バイク、更にはヘルメットにも取り付けが可能である形態と特徴を持ち、取り外し自在の携帯万能ラジオである。【解決手段】  携帯万能ラジオに他の音響機器を接続する為の接続用のジャックを設けスピーカに電気的に接続させる事で好みの音楽等の情報を聞く事ができる。またスピーカを独立させた事で更に使用方法の幅が広がる。【選択図】図１
2010283794.tif 000002
【特許請求の範囲】
【請求項１】
専用固定用冶具が付いた携帯万能ラジオに接続される薄型スピーカはスピーカケーブルによって携帯万能ラジオから独立している形態をしておりプラグによって携帯万能ラジオの出力端子のジャックに接続されている。さらに携帯万能ラジオには他の音響機器などから、つまり外部からの電気信号を取り入れる入力端子のジャックが一箇所設けられている、この入力端子のジャックは薄型スピーカに電気的に接続されている構造で作られている為、入力端子のジャック部に音響機器などをプラグで接続する事で使用者の好みの音楽などの情報を薄型スピーカから音声として聞くことが出来る構造形態となっている。使用場所は問わず外出先や室内はもちろん、自転車、バイク、更にはヘルメットにも取り付けが可能である形態と特徴を持ち、取り外し自在の携帯万能ラジオである。またトランスミッターを付ければ外部音響機器をワイヤレスで聴く事も出来、さらに入力端子部をマイクロホンにするとラジオ内のアンプで増幅し、ラジオを聴いていても、いなくても外部の音が同じスピーカから音として聞く事ができるため補聴器しても利用が出来る。
【発明の詳細な説明】
【技術分野】
【０００１】  本考案は交通渋滞や緊急事態、その他のいろんな情報を交通機関利用時や自分で運転する乗り物での移動の時でも聞く事が出来、また好みの音楽も聴けるなど使用範囲が幅広い携帯万能ラジオの構造と形態に関するものである。
【背景技術】
【０００２】人は情報社会に於いて何らかの情報を得て行動する、従来の携帯ラジオは放送局からの音を電流の波に変え搬送波と言う周波数の高い電波に乗せて飛ばし、それぞれのラジオに電波として届き電気信号に、音声信号は増幅され、いろいろな周波数に合わせ様々な情報をスピーカで聴く方法、目的で作られた情報機器である。本考案も前記と同様に電波による情報を聞く目的ではあるが前期従来の携帯ラジオは放送局からの情報を聞くだけで自分の好きな情報、例えば好みの音楽等を聞く事が出来なかった。また使用範囲が狭く、自転車やバイク等の移動時では聞く事が困難であり欠点でもあった。
【先行技術文献】
【特許文献】
【０００３】
【特許文献１】  特開昭６２−２１５００７号公報
【特許文献２】  登録実用新案公報第３０３２４６３号
【特許文献３】  実開昭６２−５７８４
【特許文献４】  実開昭６２−１３６５３１
【発明の開示】
【発明が解決しようとする課題】
【０００４】  車の様にラジオが付いているでもないオートバイ等が好みの音楽やその他の情報を得る様にするには安全性は勿論どうやって音源からの情報や音源以外の情報を走行中のバイクや自転車で聞く事が出来るかが課題となる。本考案も前期文献と同様にオートバイ等の乗車時に聞く場合はヘルメット内にスピーカを付けるか、またはバイクに取り付ける事にはなるが、前期文献はヘルメット自体がステレオヘッドホンに改造してあり、持ち運びも不便であり盗難もあり得る、外部音も聞き辛い欠点があり、またヘルメット内に接続部品が取り付けられ危険であり、さらにヘルメットに接続用の穴を設けなければならない欠点がある。
【課題を解決するための手段】
【０００５】  本考案は、ヘルメットだけで聞く使用ではなく使用範囲の１つとして取り上げたもので従来の問題点も解決出来る形態をしている為、安全であり持ち運びや用途も幅広く、しかも簡単に取り外しができる携帯万能ラジオを提供するものである。【０００６】  そのため本考案は携帯万能ラジオ本体とスピーカがスピーカケーブルによって分離され携帯万能ラジオ本体の出力端子にプラグで接続されている形態をしている、さらに携帯万能ラジオ本体には。その他の音響機器を接続し電気信号を取り入れる入力端子ジャックが設けられスピーカと電気的に接続されている為、好みの情報を音声として聞く事が出来る構造となっている。【０００７】  前記のように構成された構造の携帯万能ラジオは本体とスピーカが分離している為，ヘルメットに取り付ける場合はスピーカ部をヘルメット内の耳があたる部分にマジックテープ等で取り付け、携帯万能ラジオ本体はマジックテープの付いたクリップ機能付になっており。ヘルメット外部に取り付ける事で頭部の保護を損なう事無く問題を解決した。【０００８】  さらに携帯ラジオ本体には他の音響機器を接続する為の入力端子ジャックが設けられスピーカと電気的に接続されている構造なので他の音響機器を入力端子ジャックに接続する事で好みの音楽などを聞く事ができる。トランスミッターを付けワイヤレスで好みの音楽を聴くことも可能である。【０００９】入力端子部をマイクロホンの代わりにしラジオ内のアンプで電気信号を増幅する事でラジオを聴いていてもいなくてもスピーカから音として伝わるため補聴器としても利用が可能である。【００１０】  通常はスピーカを取り外しヘッドホンで情報を聞く事も出来る。
【発明の効果】
【００１１】本考案は以上説明したようになっており記載されるような効果を奏する。
【発明を実施するための最良の形態】
【００１２】専用固定用冶具が付いた携帯万能ラジオに接続される薄型スピーカはスピーカケーブルによって携帯万能ラジオから独立している形態をしておりプラグによって携帯万能ラジオの出力端子のジャックに接続されている。さらに携帯万能ラジオには他の音響機器を接続する為の入力端子のジャックが一箇所設けられている、このジャックは薄型スピーカに電気的に接続されている構造で作られている為、入力端子のジャックに音響機器などをプラグで接続する事で使用者の好みの音楽などの情報を薄型スピーカから音声として聞くことが出来る構造形態となっている。使用場所は問わず外出先や室内はもちろん、自転車、バイク、更にはヘルメットにも取り付けが可能である形態と特徴を持ち、取り外し自在の携帯万能ラジオである。【００１３】  スピーカは安全に配慮したモノラルスピーカを使用、つまり一個のスピーカを使用している。【００１４】  薄型スピーカはスピーカケーブルによって携帯万能ラジオから独立し、出力端子にプラグで接続されている形態である。【００１５】  好みの音楽等を聴く場合は携帯万能ラジオに設けられている入力端子のジャックに他の音響機器を接続する事により音楽を楽しむ事が出来る。【００１６】  スピーカはマジックテープなどで固定、携帯万能ラジオはマジックテープの付いたクリップ式冶具などで取り付ける為、取り外しが簡単である。
【実施例】
【００１７】  実施例について図面を参照して説明すると図１の２がスピーカであり、図１の１の携帯万能ラジオに５のスピーカケーブルについている接続プラグによって、携帯万能ラジオの出力端子に接続されている。更に携帯万能ラジオには３の音楽を聴く為の音響機器からの配線プラグが接続される４の入力端子ジャックが設けられ２のスピーカに電気的に接続され音声として好みの音楽を聴くことが出来る様になっている。また取り付け用として６のマジックテープ付のクリップがある。
【産業上の利用可能性】
【００１８】本考案の形態は現在、存在しない為、産業的にも大きな影響が期待されると思われる。
【図面の簡単な説明】
【００１９】
【図１】携帯万能ラジオの形態を示す全体の図である。
【符号の説明】
【００２０】１  携帯万能ラジオ
２  スピーカ
３  外部音響機器
４  外部機器からのプラグを接続する入力端子ジャック
５  スピーカケーブル
６  マジックテープ付クリップ
【図１】
2010283794.tif 000003